(57)【要約】【課題】  スプリンクラーヘッドの外部にひさしが設けられ、水平方向に消火水を散布する側壁型スプリンクラーヘッドにおいて、ひさしの長さおよび角度が変更可能であり、所望の散水範囲を設定可能な側壁型スプリンクラーヘッドを提供する。【解決手段】  ひさし２の長さを調整する手段として、ひさし２に爪６を設け、該爪６をスプリンクラーヘッド１の外周面に刻設された複数の溝８に係止する構成とした。また、ひさし２の角度を調整する手段として、ひさし２が挿通される複数のスリット１５、１６が設けられたカバープレート４を、スプリンクラーヘッド１に着脱可能に設置した。【選択図】    図１
2006110187.tif 000002
【特許請求の範囲】
【請求項１】
スプリンクラーヘッドの外部にひさしが設けられ、水平方向に消火水を散布する側壁型スプリンクラーヘッドにおいて、前記ひさしの長さ調整手段が設けられていることを特徴とした側壁型スプリンクラーヘッド。
【請求項２】
スプリンクラーヘッドの外部にひさしが設けられ、水平方向に消火水を散布する側壁型スプリンクラーヘッドにおいて、前記ひさしの角度調整手段が設けられていることを特徴とした側壁型スプリンクラーヘッド。
【請求項３】
前記ひさしの長さを調整する手段とは、係止部を有するひさしと、該ひさしが係合される複数の溝が周面に設けられた側壁型スプリンクラーヘッドから成ることを特徴とする請求項１記載の側壁型スプリンクラーヘッド。
【請求項４】
前記ひさしの角度を調整する手段とは、ひさしが挿通される複数のスリットが設けられ前記側壁型スプリンクラーヘッドに着脱可能なカバープレートであることを特徴とする請求項２または３記載の側壁型スプリンクラーヘッド。
【請求項５】
前記ひさしは付勢手段により保持されていることを特徴とする請求項１から４記載の何れかの側壁型スプリンクラーヘッド。
【発明の詳細な説明】
【技術分野】
【０００１】
本発明は、消火用のスプリンクラーヘッドであり、主に壁面に設置されて水平方向に消火水を散布する側壁型スプリンクラーヘッドに関するものである。
【背景技術】
【０００２】
スプリンクラーヘッドは、ノズルが給水配管と接続しており、火災の熱によりノズルを閉鎖している弁体を支持している感熱分解部が分解作動することで弁体が開放され、給水配管内の消火水を放出して火災を消火するものである。
【０００３】
通常、スプリンクラーヘッドは天井面に設置され、下方に向かって放射状に水を散布するものであるが、側壁型スプリクラ-ヘッドは、主に壁面に設置され、消火水を水平方向に飛散させて消火を行うものである（例えば、特許文献１参照）。
【０００４】
側壁型スプリンクラーヘッドには、水平方向により多くの水を飛散させるために、平板状のひさしが水平に設置されている。該ひさしが水平より斜めに設置されていると、水の飛散が偏ってしまい消火水が散布されない未警戒領域が生じることになる。
【０００５】
これを防止するために、特許文献１に記載されているスプリンクラーヘッドでは、ひさしの水平位置調節が容易にできるように回転可能な構造となっている。
【０００６】
【特許文献１】実開平５−２４０５８号公報（第１−２頁  第１図）
【発明の開示】
【発明が解決しようとする課題】
【０００７】
上記の特許文献１に記載されているスプリンクラーヘッドはひさしの長さが一定であり、ひさしが水平位置になるよう容易に調節可能という効果を有するものであるが、顧客からの要求によって消火水が散布される範囲、つまり消火水の飛距離や散布幅を変更してほしいとの要求がしばしばあることから、所望の散水が行なえるように都度、ひさしの長さや角度が違う製品を製作しなければならなかった。
【０００８】
それにより、同じような形状のひさし部品が数種類発生することになり、部材管理や組立時に部品の識別手段を設ける必要が生じる等の手間が発生することになる。
【０００９】
そこで本発明では、上記問題に鑑み、ひさしの長さ、角度が変更可能であり、所望の散水範囲を設定可能な側壁型スプリンクラーヘッドを提供することを目的としている。
【課題を解決するための手段】
【００１０】
上記の目的を達成するために、請求項１記載の発明は、スプリンクラーヘッドの外部にひさしが設けられ、水平方向に消火水を散布する側壁型スプリンクラーヘッドにおいて、前記ひさしの長さ調整手段が設けられている側壁型スプリンクラーヘッドである。
【００１１】
請求項２記載の発明は、スプリンクラーヘッドの外部にひさしが設けられ、水平方向に消火水を散布する側壁型スプリンクラーヘッドにおいて、前記ひさしの角度調整手段が設けられている側壁型スプリンクラーヘッドである。
【００１２】
請求項３記載の発明は、前記ひさしの長さを調整する手段とは、係止部を有するひさしと、該ひさしが係合される複数の溝が周面に設けられた側壁型スプリンクラーヘッドから成る請求項１記載の側壁型スプリンクラーヘッドである。
【００１３】
請求項４記載の発明は、前記ひさしの角度を調整する手段とは、ひさしが挿通される複数のスリットが設けられ前記側壁型スプリンクラーヘッドに着脱可能なカバープレートである請求項２または３記載の側壁型スプリンクラーヘッドである。
【００１４】
請求項５記載の発明は、前記ひさしは付勢手段により保持されている請求項１から４記載の何れかの側壁型スプリンクラーヘッドである。
【発明の効果】
【００１５】
請求項１および２記載の発明によって、ひさしの長さおよび角度を調節可能としたことで、一つの製品によって複数の異なる散水仕様を有する側壁型スプリンクラーヘッドを提供することができる。
【００１６】
請求項３記載の発明によれば、スプリンクラーヘッドの周面に設けられた複数の溝にひさしの係合部を係止させることで調整可能としたものである。
【００１７】
請求項４記載の発明によれば、カバープレートに設けた複数のスリットにひさしを挿通させることで、ひさしの角度を調整可能としたものである。
【００１８】
請求項５記載の発明によれば、ひさしが付勢手段によって保持されることで、側壁型スプリンクラーヘッドが作動して消火水が放出された際の水の衝撃によってひさしが外れたり、調整された位置がずれないようにする効果を有する。
【００１９】
上記の側壁型スプリンクラーヘッドは、ひさしの長さおよび角度の調整が可能となるが、それに加えて引用文献１記載のスプリンクラーヘッドと同様に、ひさしの水平位置の調整も同様に可能である。
【発明を実施するための最良の形態】
【００２０】
本発明に使用される側壁型スプリンクラーヘッドは、通常用いられる下方に向かって放射状に消火水を散布するスプリンクラーヘッドを用いることも可能であるが、デフレクターやガイドピン等の散水に影響を及ぼす部品については、別途仕様のものを用いるほうが好ましい。
【００２１】
前記側壁型スプリンクラーヘッドの周面の溝は、側壁型スプリンクラーヘッドの周面に直接溝を刻設して形成したり、あるいは外周面に溝を有する円筒を側壁型スプリンクラーヘッドに嵌め込んで設置することも可能である。
【００２２】
前記カバープレートは、上記による側壁型スプリンクラーヘッドに設けられた溝に係止することも可能である。
【００２３】
また、前記ひさしの付勢手段として、カバープレートの裏面に板バネを設けて付勢手段としてもいいし、あるいは磁石や錘を利用することも可能である。
【実施例】
【００２４】
以下、この発明の実施例を図１から図３を参照して説明する。図１は本発明の側壁型スプリンクラーヘッドの正面図、図２は図１のＸ−Ｘ断面図、図３は図１の側壁型スプリンクラーヘッドの作動状態を表す。
【００２５】
本発明の側壁型スプリンクラーヘッドは、スプリンクラーヘッド１、ひさし２、外筒３、カバープレート４から構成される。
【００２６】
スプリンクラーヘッド１は、給水配管５と接続されており、火災時に内部の弁体を保持している感熱分解部が分解作動して弁体が開放され給水配管内の消火水を散布して消火を行なうものである。スプリンクラーヘッド１の内部には弁体と一体となったデフレクターＤが収容されており、弁体が開放されると給水配管から放出される消火水はデフレクターＤに衝突して散布される。
【００２７】
スプリンクラーヘッド１のその他の構造についての説明は省略する。内部構造の一例として特開平７−２８４５４５号に記載されているものがある。
【００２８】
ひさし２は、平板状であり一端には外筒３と係合するための爪６を有している。他端の角には、面取り７、７が施されている。他端形状は消火水の散布に影響を及ぼす部分であり、面取り以外にも端を屈曲させたり、凹凸部を設けたり穴を穿設する場合もある。
【００２９】
外筒３はスプリンクラーヘッド１の外周部に嵌入されるもので、外筒３の外周面には前述の爪６が係合される複数の溝８が刻設されている。溝８は段状に設けられており、ひさし２の爪６の係合位置を調節できるようになっている。
【００３０】
カバープレート４は、壁面に穿設された穴とスプリンクラーヘッド１との隙間を隠すために設置されるもので、皿状であり中央に穴９が穿設されている。該穴９にはスプリンクラーヘッド１の先端が挿通される。穴９の周縁には、外筒３との係合部１０が複数設けけられている。
【００３１】
係合部１０は、カバープレート４から立設されており、係合部１０の内壁には複数の溝１１が刻設されている。該溝１１は外筒３の端に形成された鍔部１２に係合することで、カバープレート４が外筒３に係合される。
【００３２】
カバープレート４の穴９の上部には、細長いスリット１３が設けられており、２つの突起１４、１４によって上段１５、下段１６に分けられている。該スリット１３の上段１５または下段１６にひさし２が挿通される。その際、ひさし２が外れないようにスリット１３付近に板バネ１７を設置しておくと、板バネ１７がひさし２を付勢してひさし２が保持される。
【００３３】
上記カバープレート４のスリット１３の位置は、任意の位置に設置することが可能であり、好ましくは、ひさし２をカバープレート４の上段１５または下段１６に挿通した状態において、水平を基準としたひさし２の角度が−３０度から＋３０度の範囲にあるとよい。
【００３４】
次に、本発明の側壁型スプリンクラーヘッドの作動について説明する。上記の側壁型スプリンクラーヘッドは図３に示すように、給水配管５と接続され、先端が壁面から突出した状態で設置されている。火災が発生すると、火災の熱によってスプリンクラーヘッド１が作動し、内部の弁体が開いて給水配管内の消火水が放出される。
【００３５】
放出された消火水は、スプリンクラーヘッド１の弁体と一体に構成されているデフレクターＤを外部に突出させ、該デフレクターＤや、ひさし２に消火水が衝突して水平方向に飛散される。このとき、デフレクターＤに衝突した消火水は主に壁面側の床に散布され、ひさし２に衝突した水は壁面より遠方の床に散布される。
【００３６】
壁面より遠方の床に散布される消火水の飛距離は、ひさし２の設置角度に影響され、ひさし２の設置角度が水平に近いと飛距離は短くなり、逆にひさし２の先端が水平より上向きに設置すると飛距離が延びる傾向にある。
【００３７】
また、ひさし２のカバープレート４からの突出量が短いと消火水の飛距離は短くなり、突出量が長いと飛距離も長くなる傾向にある。
【００３８】
上記より、ひさし２の角度およびカバープレート４からの突出量によって本発明の側壁型スプリンクラーヘッドの散水飛距離をコントロールすることが可能となる。
【産業上の利用可能性】
【００３９】
上記に示した側壁型スプリンクラーヘッドは、弁体が開放された状態で用いることも可能であり、農芸用や工業用等にも使用可能である。
【図面の簡単な説明】
【００４０】
【図１】本発明の側壁型スプリンクラーヘッドの正面図
【図２】図１のＸ−Ｘ断面図
【図３】図１の側壁型スプリンクラーヘッドの作動状態
【符号の説明】
【００４１】
１  スプリンクラーヘッド
２  ひさし
３  外筒
４  カバープレート
５  給水配管
６  爪
８  外筒の溝
１０  係合部
１１  係合部の溝
１２  鍔部
１３  スリット
１５  上段
１６  下段
１７  板バネ
【図１】
2006110187.tif 000003
【図２】
2006110187.tif 000004
【図３】
2006110187.tif 000005